【事件の表示】
　特許第３０５９５２８号「ファクシミリ装置」の請求項２に係る特許に対する特許異議の申立てについて、次のとおり決定する。
【結　論】
　訂正を認める。
　特許第３０５９５２８号の請求項２に係る特許を取り消す。
【理　由】
１．手続の経緯
　本件特許第３０５９５２８号の請求項１乃至５に係る発明についての出願は、平成３年５月２４日に特許出願され、平成１２年４月２１日にそれら発明について特許の設定登録がなされ、その後、請求項２に係る発明の特許について異議申立人渡辺等より特許異議の申立てがなされ、取消理由通知がなされ、その指定期間内である平成１３年５月１４日に訂正請求がなされたものである。
　
２．訂正の適否
（１）訂正の内容
　特許権者が求めている訂正の内容は、次のとおりである。
　訂正事項ａ
　特許請求の範囲における請求項２の記載を次のとおりに訂正する。
「複数の通信チャネルを有するファクシミリ装置において、受信した通信記録情報から通信管理レポートを作成して出力するに際し、通信管理レポートに記載するファイルを前記通信記録情報のチャネル情報に基づいて各通信チャネル別にソートする手段を具備することを特徴とするファクシミリ装置。」
　訂正事項ｂ
　明細書の段落【０００５】の記載を次のとおりに訂正する。
「【課題を解決するための手段】
　請求項１記載の発明では、複数の通信チャネルを有するファクシミリ装置において、通信記録情報から通信管理レポートを作成して出力するに際し、通信管理レポートに記載するファイルの順序を各ファイルの受信を開始した受信時刻に従ってソートする手段を具備したことにより前記第１の目的を達成する。
　請求項２記載の発明では、複数の通信チャネルを有するファクシミリ装置において、受信した通信記録情報から通信管理レポートを作成して出力するに際し、通信管理レポートに記載するファイルを前記通信記録情報のチャネル情報に基づいて各通信チャネル別にソートする手段を具備することにより前記第２の目的を達成する。
  請求項３記載の発明では、複数の通信チャネルを有するファクシミリ装置において、通信記録情報から通信管理レポートを作成して出力するに際し、通信管理レポートに記載するファイルを各通信チャネルに接続されている回線の種類毎にソートする手段を具備することにより前記第３の目的を達成する。
  請求項４記載の発明では、複数の通信チャネルを有するファクシミリ装置において、通信記録情報の通信管理レポートの出力形態をオペレーションスイッチ、内部ソフトウェアスイッチまたはハードウェアスイッチにて任意に選択して通信管理レポートを出力することにより前記第４の目的を達成する。
  請求項５記載の発明では、複数の通信チャネルを有するファクシミリ装置において、受信した通信記録情報から通信管理レポートを作成して出力するに際し、通信管理レポートの出力形式を選択する出力形式選択手段と、該出力形式選択手段に選択された形式に従って前記通信管理レポートに記載するファイルの順序をソートする手段と、を具備することにより前記第５の目的を達成する。」
（２）訂正の目的の適否、新規事項の有無及び拡張・変更の存否
　上記訂正事項ａは、特許請求の範囲の減縮を目的とした明細書の訂正に該当し、また、上記訂正事項ｂは、訂正事項ａに伴うものであって、明りょうでない記載の釈明を目的とした明細書の訂正に該当し、いずれも、新規事項の追加に該当せず、実質上特許請求の範囲を拡張し、又は変更するものでもない。
（３）むすび
　したがって、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項及び第３項の規定に適合するので、当該訂正を認める。
　
３．本件請求項２に係る発明
　本件請求項２に係る発明は、訂正明細書の特許請求の範囲の請求項２に記載された事項により特定されるとおりのものである（上記２（１）訂正事項ａを参照）。
　
４．引用刊行物に記載された発明
　当審が通知した取消しの理由に引用した刊行物１（特開平２−２１４２５２号公報、異議申立人が提出した甲第１号証）には、ファクシミリ装置に関し、図面と共に次の事項が記載されている。
（１）「複数の回線を収納し、通信相手先情報、通信時間および料金データ等に基づいて通信料金を演算する通信料金演算機能を備えたファクシミリ装置であって、通信時、使用回線を認識し、通信毎に演算した通信料金を使用回線に対応づけて管理し、通信料金と使用回線とを対応づけた通信料金管理レポートを作成することを特徴とするファクシミリ装置」（１頁左下欄５行〜同１２行）。
（２）「送信時、オペレータはオフフックし、操作表示部４のキー操作により使用回線Ｌ１、Ｌ２を選択する。回線Ｌ１、Ｌ２が選択されると、ファクシミリ装置１は料金演算部１１の初期化を行い（ステップＳ１）、使用回線が回線Ｌ１か回線Ｌ２かをチェックして認識する（ステップＳ２）。」（３頁左上欄１１行〜同１６行）。
（３）「第３図に示すように、オペレータは操作表示部４のキー操作で通信料金管理レポートの記録出力を指示すると（ステップＰ１）、料金メモリ１２より料金情報を読み取り（ステップＰ２）、第４図に示すように、通信料金管理レポート２０のフォーマットに従って通信料金管理レポート２０をプロッタ６により記録紙に記録出力する（ステップＰ３）。通信料金管理レポート２０は、第４図に示すように、ヒヅケ（日付）、カイシジ（開始時）、アイテサキ（相手先）、ツウシンモード（通信モード）、シヨウジカン（使用時間）、ケッカ（結果）、ページ（頁）、カイセン（回線）およびリョウキン（料金）が記録されており、また、料金は通信料金管理レポート２０の下欄に回線Ｌ１、Ｌ２毎の累計と、総累計が記録されている。」（３頁右下欄２行〜同１６行）。
（４）「第５図に示すように、回線Ｌ１、Ｌ２毎に集めて記録出力してもよい。この場合、回線Ｌ１、Ｌ２毎の通信回数や通信料金が見やすい。また、上記実施例では２回線収納する場合について述べたが、これに限るものではなく、２回線以上収納するファクシミリ装置にも同様に適用することができる。」（４頁左上欄２行〜同８行）。
　
５．対比・判断
  本件請求項２に係る発明と刊行物１に記載された発明とを対比する。
（１）引用例に記載された発明の「回線」は、本件請求項２に係る発明のチャンネルに相当すると認められるから、引用例に記載された発明も「複数の通信チャネルを有するファクシミリ装置」である点で本件請求項２に係る発明と差異がない。
（２）引用例に記載された発明の「通信料金管理レポート」は、一種の通信管理レポートであり、それが「通信記録情報」から作成されることは当業者に明らかなことである。
（３）引用例に記載された発明は、通信料金管理レポートを、第５図に示すように、回線Ｌ１、Ｌ２毎に集めて記録出力してもよいものであり（上記４．（４）の記載参照）、そのようにしたものは、「通信記録情報から通信管理レポートを作成するために、通信管理レポートに記載するファイルを各通信チャネル別にする手段」を具備するという点で本件請求項２に係る発明と差異がない。
　以上のことを踏まえると、本件請求項２に係る発明と刊行物１に記載された発明とは、
「複数の通信チャネルを有するファクシミリ装置において、通信記録情報から通信管理レポートを作成するために、通信管理レポートに記載するファイルを各通信チャネル別にする手段を具備することを特徴とするファクシミリ装置。」
である点で一致し、次の（１）及び（２）点で相違する。
（ア）本件請求項２に係る発明は、通信管理レポートを、受信した通信記録情報から作成するのに対し、刊行物１に記載された発明は、通信管理レポートが通信料金管理レポートであり、それを送信時に得られる通信記録情報から作成する点。
（イ）通信記録情報から通信管理レポートを作成するために、通信管理レポートに記載するファイルを各通信チャネル別にする手段が、本件請求項２に係る発明は、「受信した通信記録情報から通信管理レポートを作成して出力するに際し、通信管理レポートに記載するファイルを通信記録情報のチャネル情報に基づいて各通信チャネル別にソートする手段」であるのに対し、刊行物１に記載された発明は、通信管理レポートに記載するファイルを各通信チャネル別に集める手段である点。
　まず、相違点（ア）について検討すると、当審が通知した取消しの理由で周知例として示した特開昭６３−３１４９５１号公報や特開昭５７−８７６７６号公報に記載されているように、ファクシミリ装置において、受信についての通信管理レポートを作成することは、慣用されていることであり、特に特開昭６３−３１４９５１号公報には、受信画情報に付随して発せられるダイヤルトーンを検出し、この検出によって国際通信あるいは国内通信のいずれであるかを判定すること、その判定に従って通信管理レポートを国内通信および国際通信それぞれに分けてプリントアウトすること記載されており、これは、受信についての通信管理レポートを、受信時の情報から作成することを開示しているから、引用例に記載された発明における管理レポート（通信料金管理レポート）を受信についてのものとし、それを、受信した通信記録情報から作成するようにすることは、当業者が容易に想到し得ることである。
　次に、相違点（イ）について検討すると、「ソート」は、一般的に、ある種の項目を一定の基準に従って並びかえることを意味し、情報の管理において適宜行われているものである。そして、本件請求項２に係る発明における「ソート」も通信チャネル別に一定の基準に従ってファイルを並びかえることを意味すると認められるが、刊行物１に記載された発明において、通信管理レポートに記載するファイルを各通信チャネル別に集めるに際し、一定の基準に従って並べるようにすることも当業者が通常考えることであるから、受信した通信記録情報から通信管理レポートを作成して出力するに際し、通信管理レポートに記載するファイルを通信記録情報のチャネル情報に基づいて各通信チャネル別にソートするようにすることは、当業者が容易に想到し得ることである。
　さらに、本件請求項２に係る発明によってもたらされる効果も、刊行物１に記載された発明及び周知技術から当業者ならば容易に予測することができる程度のものであって、格別のものとはいえない。
　
６．むすび
　以上のとおりであるから、本件請求項２に係る発明は、刊行物１に記載された発明及び周知技術に基いて当業者が容易に発明をすることができたものであるから、特許法第２９条第２項の規定により特許を受けることができない。
　したがって、本件請求項２に係る発明についての特許は、拒絶の査定をしなければならない特許出願に対してされたものと認める。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１３年６月１５日（２００１．６．１５）
【訂正の要旨】
　訂正の要旨
　▲１▼　訂正事項ａ
　特許第３０５９５２８号発明の明細書中の請求項２「複数の通信チャネルを有するファクシミリ装置において、通信記録情報から通信管理レポートを作成して出力するに際し、通信管理レポートに記載するファイルを各通信チャネル別にソートする手段を具備することを特徴とするファクシミリ装置。」を、特許請求の範囲の減縮を目的として、「複数の通信チャネルを有するファクシミリ装置において、
受信した
前記通信記録情報のチャネル情報に基づいて
　▲２▼　訂正事項ｂ
　上記訂正事項ａで示す特許請求の範囲の訂正に伴い、特許請求の範囲と明細書の詳細な説明の記載との整合性をとるため、同明細書を本件訂正請求書に添付の訂正明細書の通りに、すなわち、
ａ）同明細書中の段落番号【０００５】の記載を下記のように訂正する（訂正明細書中の段落番号【０００５】）。
「【課題を解決するための手段】
　請求項１記載の発明では、複数の通信チャネルを有するファクシミリ装置において、通信記録情報から通信管理レポートを作成して出力するに際し、通信管理レポートに記載するファイルの順序を各ファイルの受信を開始した受信時刻に従ってソートする手段を具備したことにより前記第１の目的を達成する。
　請求項２記載の発明では、複数の通信チャネルを有するファクシミリ装置において、
受信した
前記通信記録情報のチャネル情報に基づいて
　請求項３記載の発明では、複数の通信チャネルを有するファクシミリ装置において、通信記録情報から通信管理レポートを作成して出力するに際し、通信管理レポートに記載するファイルを各通信チャネルに接続されている回線の種類毎にソートする手段を具備することにより前記第３の目的を達成する。
　請求項４記載の発明では、複数の通信チャネルを有するファクシミリ装置において、通信記録情報の通信管理レポートの出力形態をオペレーションスイッチ、内部ソフトウェアスイッチまたはハードウェアスイッチにて任意に選択して通信管理レポートを出力することにより前記第４の目的を達成する。
　請求項５記載の発明では、複数の通信チャネルを有するファクシミリ装置において、通信記録情報から通信管理レポートを作成して出力するに際し、通信管理レポートの出力形式を選択する出力形式選択手段と、該出力形式選択手段に選択された形式に従って前記通信管理レポートに記載するファイルの順序をソートする手段と、を具備することにより前記第５の目的を達成する。」
（５４）【発明の名称】
ファクシミリ装置
（５７）【特許請求の範囲】
　【請求項１】
　複数の通信チャネルを有するファクシミリ装置において、通信記録情報から通信管理レポートを作成して出力するに際し、通信管理レポートに記載するファイルの順序を各ファイルの受信を開始した受信時刻に従ってソートする手段を具備することを特徴とするファクシミリ装置。
　【請求項２】
　複数の通信チャネルを有するファクシミリ装置において、
受信した
前記通信記録情報のチャネル情報に基づいて
　【請求項３】
　複数の通信チャネルを有するファクシミリ装置において、通信記録情報から通信管理レポートを作成して出力するに際し、通信管理レポートに記載するファイルを各通信チャネルに接続されている回線の種類毎にソートする手段を具備することを特徴とするファクシミリ装置。
　【請求項４】
　請求項１、２ないし３のファクシミリ装置において、通信記録情報の通信管理レポートの出力形態をオペレーションスイッチ、内部ソフトウェアスイッチまたはハードウェアスイッチにて任意に選択して通信管理レポートを出力することを特徴とするファクシミリ装置。
　【請求項５】
　複数の通信チャネルを有するファクシミリ装置において、通信記録情報から通信管理レポートを作成して出力するに際し、通信管理レポートの出力形式を選択する出力形式選択手段と、該出力形式選択手段に選択された形式に従って前記通信管理レポートに記載するファイルの順序をソートする手段と、を具備することを特徴とするファクシミリ装置。
【発明の詳細な説明】
　【０００１】
　【産業上の利用分野】
　本発明は、通信管理レポートを利用者の要望に応じて任意な形態で出力できる複数の通信チャネルを有するファクシミリ装置に関する。
　【０００２】
　【従来の技術】
　複数の通信チャネルを持つタイプのファクシミリ装置では、複数の通信チャネルが一つのプリンタ出力装置を共有するために、情報の受信は大容量のメモリ等に一次的に記憶、蓄積してからプリントアウトする所謂ストアアンドアーウェイ方式を採用している。
　このようなタイプのファクシミリ装置では、通常、通信情報の記録を取る際に、ロギングされる順序が、受信を開始した時刻にならず、受信を完了した時刻になってしまう。特に、収容している通信回線にＧ３の回線とＧ４の回線とを併有している装置の場合は、両者の通信スピードがかなり相違するため、受信を開始した時刻と受信が終了した時刻のズレが大きくなってしまっていた。
　【０００３】
　【発明が解決しようとする課題】
　出力される通信管理レポートで、利用者にとって重要な情報は、受信が開始された時刻であるため、受信が完了した時刻を基準にロギングされると、受信時間が相前後して表示されてしまい、情報として利用しにくいという問題があった。
　また、複数の通信チャネルを有するファクシミリ装置では、受信する情報量は、通常その回線数に比例して増加する。この場合、これらの受信等の情報を全て一括して通信管理レポートとして提供していたのでは、利用者にとって不必要な記録が表示されてしまうこととなってしまう。加えて、記載内容も煩雑になりかなり見にくいレポートになってしまっていた。
　さらに、実際に通信管理レポートを活用する形態は、利用者の使用目的、使用環境などによって種々の態様がある。このような場合、各ユーザーの活用形態に対応せず、所定の書式でのみ通信管理レポートを出力していた。そのため、ユーザーにとってあまり有益でないレポートとなっていた。
　【０００４】
　そこで、本発明の第１の目的は、複数の通信チャンネルを有するファクシミリ装置の通信管理レポートを、実際に受信が開始した時刻に沿ってソートして出力する装置を提供することを目的とする。
　本発明の第２の目的は、複数の通信チャネルを有するファクシミリ装置の通信管理レポートを、各チャネル別に情報を整理して出力する装置を提供することを目的とする。
　本発明の第３の目的は、複数の通信チャネルを有するファクシミリ装置の通信管理レポートを、チャネルに接続された通信回線の種類、例えばＩＳＤＮ、ＰＳＴＮ、ＤＤＸなどに分別して情報を整理して出力する装置を提供することを目的とする。
　本発明の第４の目的は、複数の通信チャネルを有するファクシミリ装置の通信管理レポートを、利用者の使用目的に対応して必要な情報だけを出力する装置を提供することを目的とする。
　本発明の第５の目的は、複数の通信チャネルを有するファクシミリ装置の通信管理レポートを、利用者が出力形式を選択して使用目的に対応した情報を出力する装置を提供することを目的とする。
　【０００５】
　【課題を解決するための手段】
　請求項１記載の発明では、複数の通信チャネルを有するファクシミリ装置において、通信記録情報から通信管理レポートを作成して出力するに際し、通信管理レポートに記載するファイルの順序を各ファイルの受信を開始した受信時刻に従ってソートする手段を具備したことにより前記第１の目的を達成する。
　請求項２記載の発明では、複数の通信チャネルを有するファクシミリ装置において、
受信した
前記通信記録情報のチャネル情報に基づいて
　請求項３記載の発明では、複数の通信チャネルを有するファクシミリ装置において、通信記録情報から通信管理レポートを作成して出力するに際し、通信管理レポートに記載するファイルを各通信チャネルに接続されている回線の種類毎にソートする手段を具備することにより前記第３の目的を達成する。
　請求項４記載の発明では、複数の通信チャネルを有するファクシミリ装置において、通信記録情報の通信管理レポートの出力形態をオペレーションスイッチ、内部ソフトウェアスイッチまたはハードウェアスイッチにて任意に選択して通信管理レポートを出力することにより前記第４の目的を達成する。
　請求項５記載の発明では、複数の通信チャネルを有するファクシミリ装置において、通信記録情報から通信管理レポートを作成して出力するに際し、通信管理レポートの出力形式を選択する出力形式選択手段と、該出力形式選択手段に選択された形式に従って前記通信管理レポートに記載するファイルの順序をソートする手段と、を具備することにより前記第５の目的を達成する。
　【０００６】
　【実施例】
　以下、本発明のファクシミリ装置の一実施例を図１ないし図９を参照して詳細に説明する。
　図１及び図２は、本発明のファクシミリ装置１のブロック構成図である。
　このファクシミリ装置１は、通信制御ユニット（ＣＣＵ）３を、接続する回線２０の種類に関係なく複数個収容している。このファクシミリ装置１では、複数のＣＣＵ３が１つのプロッター２を共有しており、そのため受信用ファイルの蓄積メモリー用にハードディスク５を備えている。また、システム制御ユニット（ＳＣＵ）４は、バッテリーによるバックアップができるシステム内部ソフトウェアースイッチ、通信内容や通信ログ（通信記録情報）を順次記憶するメモリー６を有している。
　次に、このように構成された実施例の動作について説明する。
　【０００７】
　まず、図４に示すように、各種の通信回線から各ＣＣＵ３での送受信の結果をもとに、通信ログ（通信記録情報）を作成して、ハードディスク５またはバッテリーバックアップされたメモリー６内に蓄積する。
　そして、利用者の操作により、ＯＰＵ（オペレーションユニット）７からの通信管理レポート出力の指示、または他に出力条件が設定されている場合には、その条件を満たした場合は、ＳＣＵ４内でソフトウェアにより通信ログを画像情報に展開してプロッター２より通信管理レポートとして出力する。
　【０００８】
　この装置の動作は、すべてＳＣＵ４内でのソフトウェアーにより制御される。具体的には、▲１▼通信ログ情報を取るときに、その中にファイル情報として受信開始時刻、送受信チャネルナンバー、ＣＣＵ接続回線２０の種類を入れて作成する（図３）。
　▲２▼ファクシミリ装置１のオペレーションユニット（ＯＰＵ）７上に、図７に示したように通信管理レポートを出力する際の形式を指定するための「受信開始時刻ソート出力」１０、「チャネル別出力」１１、「回線種別出力」１２、各々のキーを設け、通信管理レポートの出力形式をキー入力により任意に指定できるようにする。
　受信時刻ソートキー１０は、押下することにより通信管理レポート出力時のファイル出力順を受信開始時刻順に整理するようになっている。
　チャネル別出力キー１１は、押下することによりチャネル別の通信管理レポートを出力する。
　回線種別出力キー１２は、キー入力により接続されている回線の種類別の通信管理レポートを出力する。
　▲３▼▲２▼で指定された形式に基づいてログファイルをソートし直したり、分別してチャネル毎か接続している通信回線２０の種類毎のログファイルを新たに構成し、プリントファイルとしてプロッター２に出力する。通信管理レポートは、通信管理レポート出力キー１３をキー入力することにより出力される。
　【０００９】
　各情報のソートは、ＳＣＵ４内部のソフトウェアにより実行されるが、この時には通信ログ情報に盛り込まれた諸情報を利用してソートされる。
　図９に本実施例におけるＳＣＵ４内部の処理の流れ図を示す。
　まず、チャネル別の出力するかどうかを指定する（ステップ１）。この指定は、ＯＰＵ７上のスイッチまたはシステム内部にあるメモリースイッチの状態によって判断される。
　ここでチャネル別に出力する場合（ステップ１；Ｙ）は、チャネル別に情報をソートする（ステップ２）。なお、チャンネル別指定された場合は、受信時刻が入れ代わる可能性がないので、受付時刻の順に並べ換えが必要となることはない。
　【００１０】
　チャンネル別に出力することを指定しない場合（ステップ１；Ｎ）は、受付時刻順に出力を指定するかどうかを判断する（ステップ３）。受付時刻順に出力を指定する場合（ステップ３；Ｙ）は、受付時刻に従ってソートする（ステップ４）。
　次に、接続している通信回線種別に出力指定するかどうか判断する（ステップ５）。回線種別に出力を指定する場合（ステップ５；Ｙ）は、受信回線種別にソートする（ステップ６）
　その後、プリントファイルを作成して（ステップ７）、プリント出力して（ステップ８）終了する。チャンネル別、通信回線種別が指定されている場合は、チャネル数または、通信回線種別数分だけレポートを出力する。
　【００１１】
　図５、図６は、情報をソートして作成した通信管理レポートの出力例であり、ファイルＮｏ．順ａ、受信が開始された時刻順ｂ、チャンネル別ｃ、通信回線種別ｄの通信管理レポートを具体例を示してある。
　また、上記した実施例ではオペレーションパネル上のキー状態により、通信管理レポートを出力する際の出力形式を決定する例を説明したが、実際利用者が使用する場合は該レポートの用途によりある程度利用形態が固定化されてくる。従って、図８で示した様なシステムでソフトウェアによる内部スイッチとしてメモリ上に展開しておき、通信管理レポート出力の際は、これを参照して出力形式を決定するようにすることも可能である。この内部スイッチは、ＳＣＵ４内のバッテリーバックアップされたＩＣメモリー８またはハードディスク５上に展開し、電源ＯＦＦになっても記憶内容が保護されており、かつある特定の操作によりオペレーションパネルより内容の変更が可能となるようになっている。
　【００１２】
　【発明の効果】
　請求項１記載の発明では、通信管理レポートを出力する際、受信開始時刻順にソートし直してプリントアウトされる。従って、多回線で通信速度の違う複数の通信チャネルを使用して通信した場合でも、受信時刻が相前後して記録されることがなく利用者が非常に見やすい通信管理レポートを提供することができる。
　請求項２記載の発明では、使用されるチャネル別に通信管理レポートが出力されるので、受信時刻が相前後して表示されることがなく、かつ各チャンネル毎の利用状況が簡単に把握できる通信管理レポートを提供することができる。
　請求項３記載の発明では、使用されている通信回線の種類（例えばＩＳＤＮ、ＰＳＴＮ、ＤＤＸ）別に通信管理レポートが出力されるので、各使用回線毎の利用状況を容易に認識できる通信管理レポートを提供することができる。
　請求項４記載の発明では、利用者の簡単なキー操作で通信管理レポートの出力形態を任意の形式に変更、組合せて出力できるので利用者のニーズに最もあった形式で通信管理レポートを提供することができる。
　請求項５記載の発明では、利用者の簡単なキー操作で通信管理レポートの出力形態を選択して出力できるので利用者のニーズに最もあった形式で通信管理レポートを提供することができる。
【図面の簡単な説明】
　【図１】
　本発明のファクシミリ装置の一実施例にかかるブロック構成図である。
　【図２】
　本発明のファクシミリ装置の一実施例にかかるブロック構成図である。
　【図３】
　ログファイルの情報格納方式の一実施例を示す。
　【図４】
　各回線から受信したファイル動作の具体例を示す。
　【図５】
　情報をソートして作成した通信管理レポートの出力例である。
　【図６】
　情報をソートして作成した通信管理レポートの出力例である。
　【図７】
　本発明のファクシミリ装置のオペレーションパネルの一実施例を示した図である。
　【図８】
　内部ソフトウェアスイッチによるレポート出力形態割りつけ例である。
　【図９】
　本発明の一実施例におけるシステム制御ユニット（ＳＣＵ）内部の処理の流れ図を示す。
　【符号の説明】
　１　ファクシミリ装置
　２　プロッター
　３　通信制御ユニット（ＣＣＵ）
　４　システム制御ユニット（ＳＣＵ）
　５　ハードディスク
　６　メモリー
　７　オペレーションユニット